(57)【要約】【課題】従来は、遠隔操作により窓を自動的に開閉できたが、構成の複雑化、大型化を招来する。また製造が困難である。また雨水センサー等のセンサーがなく天候の変化に対応できない、鍵の開閉機構を備えず防犯に対する配慮に欠ける等の課題がある。また窓のロック機構はあるが、単に施錠及び／又は開錠に留まり、窓の開閉機構を備えない構成が多い。【構成】建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック片の可動を司る第１制御部で構成し、窓の施錠、開錠を図る。窓の開放及び／又は閉塞を図る窓開閉機構は、框に取付けた取付具本体と、取付具本体に設けた駆動部と、駆動部に軸着した窓枠に当接される駆動部本体とで構成と、窓の開閉を図るシステム。【選択図】      図７−１
2007138579.tif 000002
【特許請求の範囲】
【請求項１】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、このロック片の可動を司る第１制御部で構成し、この第１制御部の操作で、前記ロック施錠、開錠機構を作動し、前記窓の施錠、開錠を図る装置であり、
また前記窓の開放及び／又は閉塞を図る窓開閉機構は、框に取付けた取付具本体と、この取付具本体に設けた止め具と、この取付具本体に設けた正逆転可能なモーター等の駆動部と、この駆動部に設けた伝達機構と、この伝達機構で駆動され、かつ窓枠に当接される駆動部本体と、前記駆動部を作動する第２制御部で構成し、またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項２】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、このロック片の可動を司る第１制御部で構成し、この第１制御部の操作で、前記ロック施錠、開錠機構を作動し、前記窓の施錠、開錠を図る装置であり、
また前記窓の開放及び／又は閉塞を図る窓開閉機構は、框に取付けた対の突出部を備えた取付具本体と、この取付具本体に設けた止め具と、この取付具本体に設けた正逆転可能なモーター等の駆動部と、この駆動部に設けた伝達機構と、この伝達機構で駆動され、かつ窓枠に当接される駆動部本体と、前記駆動部を作動する第２制御部で構成し、この取付具本体の一方の突出部を前記框と窓枠で形成される隙間に挿入するとともに、また他方の突出部に設けた止め具を前記窓枠に緊締することで、該取付具本体をこの窓枠に固止し、またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項３】
請求項１、請求項２に記載の窓開閉機構は、屋外に設置した雨センサー、また室内の温度センサー、風センサー、或いは遠隔操作等の制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システム。
【請求項４】
請求項１、請求項２に記載のロック施錠、開錠機構は、窓ガラスに設けたロックセンサー、また遠隔操作等の自動手段で制御する構成であって、この制御を介して前記ロック片を作動する構成とした窓のロック部の自動施錠及び／又は開錠と、センサーによる窓の開閉を司る窓の自動開閉システム。
【請求項５】
請求項１、請求項２に記載の窓に振動センサーを設け、この振動センサーの動作で警報手段を作動する構成とした窓のロック部の自動施錠及び／又は開錠と、センサーによる窓の開閉を司る窓の自動開閉システム。
【請求項６】
請求項１、請求項２に記載の駆動部本体を窓枠に接離可能とする手段を設ける構成とした窓のロック部の自動施錠及び／又は開錠と、センサーによる窓の開閉を司る窓の自動開閉システム。
【発明の詳細な説明】
【技術分野】
【０００１】
本発明は、ロック部の自動施錠及び／又は開錠で窓の施錠と開錠を図り、また雨水センサー、温度センサー、風センサー等のセンサーの作用で該窓の開閉を図る窓の自動開閉システムに関する。
【背景技術】
【０００２】
従来、家屋（建屋）には、必ず窓があり、この窓は、一般の家屋における躯体と略面一に設けられている構成から、洋風の家屋の如く、出窓・天窓等のように特殊な構成のものまで多種多様である（以下、窓とする）。この窓の開閉は、室内の換気・温度調整・風雨の遮断及び排煙等のために日常的に行われている。一方、防犯の面より施錠及び／又は閉塞が必須である。しかし、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。殊に、障害者等の健常者以外では、この種の窓の施錠及び／又は開閉と、ロック等の所作には、この本人においては、手当てが必要であり問題である。以上のような見地から、一定の条件のもとで窓を自動的に開閉及び／又は施錠・開錠する装置が多数の発明が出願されている。
【０００３】
文献１は、特開２００４−２５０９４６「引違い窓開閉装置」であり、閉窓時は、リモートコントローラーの操作により駆動制御機構の電動モーターを駆動して一方向クラッチを介して窓を閉窓方向に変位させる。開窓時は、リモートコントローラーの操作により開窓時にゼンマイばねの弾性力で窓を開窓方向に変位させることで、窓を開閉可能とすることを特徴とした構成である。また一方向クラッチ等の機構を利用して故障や停電時に手動駆動閉鎖可能とした構成である。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモーター等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【０００６】
さらに文献４は、実開平７−２６５６９号「引き戸式自動開閉窓」であり、電源に接続したリモコン回路、タイマー、駆動モーター等の操作機構と、このリモコン回路、操作機構等を内蔵したボックスと、雨滴検知の湿度センサー等のセンサーと、窓外枠、框に固定した窓開閉部とで構成し、この操作機構を遠隔操作及び／又はセンサー、リモコン回路又はタイマーで作動し、この窓を自動開閉可能としたことを特徴とする構成である。
【０００７】
【特許文献１】特開２００４−２５０９４６
【特許文献２】特開２０００−３１００６８
【特許文献３】特開２００４−１３７８５１
【特許文献４】実開平７−２６５６９号
【発明の開示】
【発明が解決しようとする課題】
【０００８】
文献１は、遠隔操作により窓を自動的に開閉できる。しかし、構成の複雑化、大型化を招来すること、また製造が困難であること、さらに窓等への設置に問題を残すこと等の問題点がある。そして、また雨水センサー等のセンサーがなく天候の変化に対応できないこと、鍵の開閉機構を備えず防犯に対する配慮に欠けること等の課題がある。
【０００９】
文献２は、窓の自動開放が可能であるが、これに対する詳細な構成の記載がなく、発明が特定できないこと、また発明の構成要件を十分に備えていないこと等の如く、発明を把握する上で課題を残している。
【００１０】
文献３は、ロック杆をモーターの制御手段で操作する構成である。従って、構造が複雑となること、コストの上昇を招来すること等の問題がある。またこの発明は、引き違い戸の開閉機構に留まっている。従って、雨水センサー等のセンサーがなく天候の変化に対応できないこと、鍵の開閉機構を備えず防犯に対する配慮に欠けること等の課題がある。
【００１１】
また文献４は、各種のセンサー、遠隔操作スイッチを用いて自動的に開閉できる窓等に関する考案に留まっている。従って、窃盗、盗難等の犯罪時に関する手当てがないこと等の問題があり、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付け可能とすること、また部品点数を少なくし製造の容易化を図ること、そして、必要に応じて洋風の家の窓（出窓等）に取付けが可能な構造を提供すること等を意図する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）とすることで、急な天候の変化及び／又は防犯等に対応可能とすること、また犯罪防止の抑止力として活用すること、さらには安心して外出可能とすること等を意図する。そして、「３」  障害者、子供等に優しい、窓の開放及び／又は閉塞手段を提供することを意図する。
【課題を解決するための手段】
【００１３】
請求項１の発明は、前述の「１」〜「３」の目的を達成することを意図する。
【００１４】
請求項１は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、このロック片の可動を司る第１制御部で構成し、この第１制御部の操作で、前記ロック施錠、開錠機構を作動し、前記窓の施錠、開錠を図る装置であり、
また前記窓の開放及び／又は閉塞を図る窓開閉機構は、框に取付けた取付具本体と、この取付具本体に設けた止め具と、この取付具本体に設けた正逆転可能なモーター等の駆動部と、この駆動部に設けた伝達機構と、この伝達機構で駆動され、かつ窓枠に当接される駆動部本体と、前記駆動部を作動する第２制御部で構成し、またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１５】
請求項２の発明は、前述の「１」〜「３」の目的を達成することを意図する。
【００１６】
請求項２は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、このロック片の可動を司る第１制御部で構成し、この第１制御部の操作で、前記ロック施錠、開錠機構を作動し、前記窓の施錠、開錠を図る装置であり、
また前記窓の開放及び／又は閉塞を図る窓開閉機構は、框に取付けた対の突出部を備えた取付具本体と、この取付具本体に設けた止め具と、この取付具本体に設けた正逆転可能なモーター等の駆動部と、この駆動部に設けた伝達機構と、この伝達機構で駆動され、かつ窓枠に当接される駆動部本体と、前記駆動部を作動する第２制御部で構成し、この取付具本体の一方の突出部を前記框と窓枠で形成される隙間に挿入するとともに、また他方の突出部に設けた止め具を前記窓枠に緊締することで、該取付具本体をこの窓枠に固止し、またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１７】
請求項３の発明は、請求項１、請求項２の目的を達成すること、この目的を達成するのに最適な第２制御部を提供すること等を意図する。
【００１８】
請求項３は、請求項１、請求項２に記載の窓開閉機構は、屋外に設置した雨センサー、また室内の温度センサー、風センサー、或いは遠隔操作等の制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システムである。
【００１９】
請求項４の発明は、請求項１、請求項２の目的を達成すること、この目的を達成するのに最適なロック施錠、開錠機構を提供すること等を意図する。
【００２０】
請求項４は、請求項１、請求項２に記載のロック施錠、開錠機構は、窓ガラスに設けたロックセンサー、また遠隔操作等の自動手段で制御する構成であって、この制御を介して前記ロック片を作動する構成とした窓のロック部の自動施錠及び／又は開錠と、センサーによる窓の開閉を司る窓の自動開閉システムである。
【００２１】
請求項５の発明は、請求項１、請求項２の目的を達成すること、この目的を達成するのに最適な窓開閉用の自動手段（他の第２制御部）を提供すること等を意図する。
【００２２】
請求項５は、請求項１、請求項２に記載の窓に振動センサーを設け、この振動センサーの動作で警報手段を作動する構成とした窓のロック部の自動施錠及び／又は開錠と、センサーによる窓の開閉を司る窓の自動開閉システムである。
【００２３】
請求項６の発明は、請求項１、請求項２の目的を達成すること、またこの請求項６は、窓を手動で開閉すること、窓開閉機構の故障時又は動力が機能しない時等に、手動を介して窓を開閉すること等を意図する。
【００２４】
請求項６は、請求項１、請求項２に記載の駆動部本体を窓枠に接離可能とする手段を設ける構成とした窓のロック部の自動施錠及び／又は開錠と、センサーによる窓の開閉を司る窓の自動開閉システムである。
【発明の効果】
【００２５】
請求項１の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック片の可動を司る第１制御部で構成し、この第１制御部の操作で、前記ロック施錠、開錠機構を作動し、窓の施錠、開錠を図る装置であり、
また窓の開放及び／又は閉塞を図る窓開閉機構は、框に取付けた取付具本体と、取付具本体に設けた止め具と、取付具本体に設けた正逆転可能なモーター等の駆動部と、駆動部に設けた伝達機構と、伝達機構で駆動され、かつ窓枠に当接される駆動部本体と、駆動部を作動する第２制御部で構成し、また第２制御部の操作で、駆動部を作動し、窓の開閉を図る装置とする構成とした窓のロック部の自動施錠及び／又は開錠と、センサーによる窓の開閉を司る窓の自動開閉システムである。
【００２６】
従って、請求項１は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞が図れること等の特徴を有する。そして、既設の窓にも簡易かつ確実に取付け可能であること、また部品点数を少なくし製造の容易化が図れること、そして、必要に応じて洋風の家の窓（出窓等）に取付けが可能な構造を提供できること等の実益を有する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）となることで、急な天候の変化及び／又は防犯等に対応可能となること、また犯罪防止の抑止力として活用できること、さらには安心して外出可能となること等の特徴を有する。そして、「３」  障害者、子供等に優しい、窓の開放及び／又は閉塞手段を提供できること等の利点がある。
【００２７】
請求項２の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック片の可動を司る第１制御部で構成し、第１制御部の操作で、ロック施錠、開錠機構を作動し、窓の施錠、開錠を図る装置であり、
また窓の開放及び／又は閉塞を図る窓開閉機構は、框に取付けた対の突出部を備えた取付具本体と、取付具本体に設けた止め具と、取付具本体に設けた正逆転可能なモーター等の駆動部と、駆動部に設けた伝達機構と、伝達機構で駆動され、かつ窓枠に当接される駆動部本体と、駆動部を作動する第２制御部で構成し、取付具本体の一方の突出部を框と窓枠で形成される隙間に挿入するとともに、また他方の突出部に設けた止め具を窓枠に緊締することで、取付具本体を窓枠に固止し、また第２制御部の操作で、駆動部を作動し、窓の開閉を図る装置とする構成とした窓のロック部の自動施錠及び／又は開錠と、センサーによる窓の開閉を司る窓の自動開閉システムである。
【００２８】
従って、請求項２は、前述の「１」〜「３」の目的を達成できる特徴がある。
【００２９】
請求項３の発明は、請求項１、請求項２に記載の窓開閉機構は、屋外に設置した雨センサー、また室内の温度センサー、風センサー、或いは遠隔操作等の制御部で機能する構成であって、制御部の指令で窓開閉機構を構成する駆動部を作動し、窓を開閉する構成とした窓のロック部の自動施錠及び／又は開錠と、センサーによる窓の開閉を司る窓の自動開閉システムである。
【００３０】
従って、請求項３は、請求項１、請求項２の目的を達成できること、この目的を達成するのに最適な第２制御部を提供できること等の特徴を有する。
【００３１】
請求項４の発明は、請求項１、請求項２に記載のロック施錠、開錠機構は、窓ガラスに設けたロックセンサー、また遠隔操作等の自動手段で制御する構成であって、制御を介してロック片を作動する構成とした窓のロック部の自動施錠及び／又は開錠と、センサーによる窓の開閉を司る窓の自動開閉システムである。
【００３２】
従って、請求項４は、請求項１、請求項２の目的を達成できること、この目的を達成するのに最適なロック施錠、開錠機構を提供できること等の特徴がある。
【００３３】
請求項５の発明は、請求項１、請求項２に記載の窓に振動センサーを設け、振動センサーの動作で警報手段を作動する構成とした窓のロック部の自動施錠及び／又は開錠と、センサーによる窓の開閉を司る窓の自動開閉システムである。
【００３４】
従って、請求項５は、請求項１、請求項２の目的を達成できること、この目的を達成するのに最適な窓開閉用の自動手段（他の第２制御部）を提供できること等の特徴がある。
【００３５】
請求項６の発明は、請求項１、請求項２に記載の駆動部本体を窓枠に接離可能とする手段を設ける構成とした窓のロック部の自動施錠及び／又は開錠と、センサーによる窓の開閉を司る窓の自動開閉システムである。
【００３６】
従って、請求項６は、請求項１、請求項２の目的を達成できること、またこの請求項６は、窓を手動で開閉すること、窓開閉機構の故障時又は動力が（動力が停電時、電池切れ、開閉の不要時等において）機能しない時に、手動を介して窓を開閉できること等の特徴を有する。
【発明を実施するための最良の形態】
【００３７】
本発明の各実施例を、図面を参照して説明する。
【００３８】
〔１〕  先ず、共通する本発明の自動ロック施錠・開錠装置のロック施錠、開錠機構１と、ロック部２の関係を説明する。このロック施錠、開錠機構１は、ロック部２の施錠・開錠を司る構造であり、この例では、ロック部２は、他方の窓枠３−２に開設した従来の孔を利用して取付けられた基台４と、この基台４に蟻溝嵌合等のガイド機構を介して昇降自在に設けたロック本体５と、このロック本体５を可動する基台４に内蔵した図示しない駆動部と、一方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、ロック部２の施錠・開錠が図れる。尚、ロック施錠、開錠機構１の第１制御部は、遠隔操作を主体とするが、手動もあり得る。またこのロック施錠、開錠機構１及び／又はガラス３ａ等に振動センサー７（警報センサー）を付設することも可能であり、例えば、この振動センサー７を、前記ロック本体５及び／又は一方の窓枠３−１又は他方の窓枠３−２（窓枠３−１等とする）、ガラス３ａ等の何れかの箇所に単独及び／又は併用して設け、このロック本体５等への振動、破損等の事故、被害が発生した段階で、警報を発し、所定の箇所に異常を通知する等して、防犯用としての利用、また施錠失念用としての利用等が考えられる。またロック施錠、開錠機構１をカバー８で隠蔽し、窓枠３−１等、ガラス３ａ等が破損された異常事態での保護を図る。
【００３９】
そして、このロック施錠、開錠機構１の制御機構は、図３−１から図３−４に示した各例があるので、個別に説明する。先ず、図３−１は簡単な構造を確保し、簡易な操作と、操作の誤りを回避する構造であって、第１制御部１００を開閉釦の二釦構造とする。また図３−２は、多機能な構造の一例であり、ロック施錠、開錠機構１の係脱及び／又は窓開閉機構１０の開閉を全て自動とする構造であって、簡便化、自動化することにより、老人、障害者、認知症患者、或は子供等の如く、弱者や理解の困難な者でも間違いのない操作が可能な構造を意図する。この例では、ロック施錠、開錠機構１の第１制御部１００に、窓開閉機構１０の開閉釦の二釦構造を採用した第２制御部１０００を併用する。そして、各例とも、開閉釦の二釦構造は、開放を示す開の文字・点字、色による識別で例えば青、閉塞を示す文字・点字、色による識別で例えば赤の如く識別する構造、図示の形態の変更する構造等がある。また図３−３は図３−２の例にさらに多機能を付加した構造であり、温湿度の表示、スイッチの入り切りの表示等を付加した構造であり、使用の簡便化、利便性の向上等を意図する。また図３−４は簡単な構造を確保し、簡易な操作と、操作の誤りを回避する構造であって、第２制御部１０００を開閉釦の二釦構造とする。
【００４０】
〔２〕  本発明の窓９の開閉及び駆動部の制御を司る窓開閉機構１０（自動窓開閉装置）と、この窓開閉機構１０を動作する第２制御部１０００（雨水センサー、温度センサー、風センサー等のセンサー。以下、雨水センサー３０とする）の関係を各実施例について説明する。
【００４１】
〔２−１〕  図４−１、図４−２は請求項１に記載の第一の実施例であり、歯車機構１６、回転輪１５、回転軸１３を使用した窓開閉機構１０である。この窓開閉機構１０は、窓９を支持する框９０（建物、固定手段等の固定物、以下、省略する）に（直接）設けた取付具本体１１と、この取付具本体１１を框９０に固止する止め具１２と、前記取付具本体１１に吊下した回転軸１３と、この回転軸１３に設けた歯車機構１６（傘歯車、ウォーム、平歯車等による伝達機構）及び／又は後述するケースの開口より突出する回転輪１５（駆動部本体）と、この歯車機構１６を駆動するモーター等の駆動部１７で構成されており、その動力の伝達は、スイッチＯＮで（雨水センサー３０の検知）→駆動部１７（正転）→歯車機構１６→回転輪１５である。そして、回転輪１５には、窓枠３−１等に圧接するゴム、樹脂等の粘着体、又は植毛等の粘性体でなる係止部１５ａが設けられており、この係止部１５ａとの圧接と、この係止部１５ａの回転を利用して窓９が開閉する。そこで、例えば、窓９の開放は、雨水センサー３０の検知→駆動部１７（正転）→歯車機構１６→回転輪１５及び／又は係止部１５ａ→窓９（可動と開放）という工程である。また窓９の閉塞は前述の逆の可動及び／又は操作となる。
【００４２】
そして、前述の如く、雨水センサー３０に代わり、遠隔操作、その他のセンサー、又は携帯電話等による操作も可能である。尚、係止部１５ａ及び／又は窓枠３−１等に凹凸、スリット等の滑り止め手段を設けることもあり得る。この各凹凸、スリット等の滑り止め手段の構成を採用することで、確実な窓９の可動が図れる特徴がある。そして、この窓９の移動で該窓９の開閉が行われる。またこの回転輪１５の正逆回転は、駆動部１７の正逆回転と、歯車機構１６（傘歯車、ウォーム、平歯車等による伝達機構）の伝達を介して行う構成が望ましい。駆動部１７の出力軸（図示せず）を伝達機構とする構成、又は媒体（図示せず）を介して回転軸１３に連絡する構成の伝達機構もあり得る。また図４−２の例の如く、取付具本体１１に移動孔１１ａを開設し、この移動孔１１ａを利用して回転軸１３が移動及び／又は停止されることで、前記係止部１５ａと窓枠３−１等との圧接をなくし、手動による窓９の開閉を図る構成とすることも可能であり、前述の如く、種々の特徴が図れる。図中１９は回転軸１３の復帰を図るスプリングを示す。
【００４３】
〔２−２〕  図５−１〜図５−３は請求項２に記載の第二の実施例であり、原則として、前述の第一の実施例に準ずる。従って、その相違点に関して説明すると、この例は、取付具本体１１を框９０又は躯体９１に止め具１２等を介して着脱自在に設ける構成であり、具体的には、框９０の突条部９０ａと窓枠３−１等で形成される隙間Ｈと、この突条部９０ａを利用し、取付具本体１１を固止する構成であり、この一例では、取付具本体１１の一方の突出部１１ｂを隙間Ｈに挿入した後、ブッシュ２３と突出部１１ｂに設けた止め具１２を介して窓枠３−１等に固止する。そして、この取付具本体１１には回転軸１３を介して回転輪１５が回転自在に架承されている。尚、窓９の開閉、動力の伝達等は、前述と同様であり省略する。
【００４４】
〔２−３〕  図７−１、図７−２は請求項６に記載の第三の実施例であり、取付具本体１１の両端に挾持片１１ｃを設け、この挾持片１１ｃにケース２０（カバー）の鍔片２０ａを挿入し、このケース２０の底面２０ｃに設けた歯車ケース２１より駆動部１７の出力軸１７ａに歯車機構１６を介して設けた中間軸２２を突設し、この中間軸２２の嵌入及び／又は止めピン２２ａを介して回転軸１３を連繋し、この回転軸１３に回転輪１５を固止する。またこの回転輪１５はケース２０の開口より突出する。そして、この例では、取付具本体１１に設けた調整具２４を介してケース２０及び／又はその回転輪１５を前後動させる（図７−１において向かって左右方向、即ち、矢印「イ」）。この調整具２４の螺入で、ケース２０及び／又はその回転輪１５が前進し、回転輪１５が窓枠３−１等に当接し、この当接時において、駆動部１７の回転で該窓９が可動する。また調整具２４の螺戻で、ケース２０及び／又はその回転輪１５が後退し、回転輪１５が窓枠３−１等より離間し、この離間において、窓枠３−１等の自由な可動が図れる。その他は前述の各実施例に準ずる。
【００４５】
そして、本発明の特徴とする処は、自動開閉システムを既設の窓枠３−１等、ガラス３ａ、框９０にそれぞれ設置できるので、この窓枠３−１等、ガラス３ａ、框９０や建物等の有効利用と、コストの削減化、廃棄に伴う弊害の解除と、環境保護に役立つ等の有益性を有する。尚、新設の窓枠３−１等、ガラス３ａ、框９０や建物等にも利用できることは勿論である。さらに新設の窓枠３−１等、ガラス３ａ、框９０や建物等において、最初より一体構造として利用できる構成となっている。
【００４６】
尚、本発明の使用の一例を図８に基づいて説明すると、図８は本発明の回路模式図であり、３１は電池、３２はタイマー、温度センサー３３又は雨水センサー３０、振動センサー７等を示している。従って、例えば、設定時間になりタイマー３２が作動した場合、また温度センサー３３が一定の温度になった場合、雨水センサー３０で雨水を感知した場合、又は遠隔操作等によって通電するスイッチ３４が設けられている。またセンサー等は雨水センサー３０、振動センサー７、風センサー３５、また人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。尚、前記風センサー３５の例では、強風時の窓９の開閉を確実に行い、弊害を解消することを意図する。
【図面の簡単な説明】
【００４７】
【図１】本発明のロック施錠、開錠機構の正面図
【図２−１】本発明のロック施錠、開錠機構の断面図
【図２−２】図２−１にカバーを取付けた断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明のロック施錠、開錠機構の第１制御部と窓開閉機構の第２制御部とを併用した他の例の正面図
【図３−４】本発明の窓開閉機構の第２制御部の正面図
【図４−１】本発明の第一の実施例を表した要部の側面模式図
【図４−２】図４−１の平面図
【図５−１】本発明の第二の実施例を表した要部の側面模式図
【図５−２】図５−１のＡ−Ａ断面図
【図６】本発明の第一の実施例の取付具本体と回転軸及び／又は移動孔との関係を表した要部の平面模式図
【図７−１】本発明の第三の実施例を表した要部の側面模式図
【図７−２】図７−１の側面図
【図８】本発明の回路の一例を表した回路図
【符号の説明】
【００４８】
１          ロック施錠、開錠機構
２          ロック部
３ａ        ガラス
３−１      一方の窓枠
３−２      他方の窓枠
４          基台
５          ロック本体
５００      ロック爪
６          ロック片
７          振動センサー
８          カバー
９          窓
９０        框
９０ａ      突条部
９１        躯体
１０        窓開閉機構
１００      第１制御部
１０００    第２制御部
１１        取付具本体
１１ａ      移動孔
１１ｂ      突出部
１１ｃ      挟持片
１２        止め具
１３        回転軸
１５        回転輪
１５ａ      係止部
１６        歯車機構
１７        駆動部
１７ａ      出力軸
１９        スプリング
２０        ケース
２０ａ      鍔片
２０ｂ      中間壁
２０ｃ      底面
２１        歯車ケース
２２        中間軸
２２ａ      止めピン
２３        ブッシュ
２４        調整具
３０        雨水センサー
３１        電池
３２        タイマー
３３        温度センサー
３４        スイッチ
３５        風センサー
Ｈ          隙間
【図１】
2007138579.tif 000003
【図２−１】
2007138579.tif 000004
【図２−２】
2007138579.tif 000005
【図３−１】
2007138579.tif 000006
【図３−２】
2007138579.tif 000007
【図３−３】
2007138579.tif 000008
【図３−４】
2007138579.tif 000009
【図４−１】
2007138579.tif 000010
【図４−２】
2007138579.tif 000011
【図５−１】
2007138579.tif 000012
【図５−２】
2007138579.tif 000013
【図６】
2007138579.tif 000014
【図７−１】
2007138579.tif 000015
【図７−２】
2007138579.tif 000016
【図８】
2007138579.tif 000017
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体を、止め具を介して前記框の上方に取付け、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項２】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項３】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、 また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項４】
請求項１又は請求項２又は請求項３に記載の窓開閉機構は、屋外に設置した雨センサー、又は室内の温度センサー、風センサー、或いは遠隔センサーの各種センサーの制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システム。
【請求項５】
請求項１又は請求項２又は請求項３に記載のロック施錠、開錠機構は、窓ガラスに設けたロックセンサー、又は遠隔センサーの各種センサーの自動手段で制御する構成であって、この制御を介して前記ロック片を作動する構成とした窓のロック部の自動施錠及び／又は開錠と、センサーによる窓の開閉を司る窓の自動開閉システム。
【請求項６】
請求項１又は請求項２に記載の駆動部の駆動部本体を、窓枠の上方に接離可能とするために、この駆動部本体を支持する回転軸を、前記取付具本体に開設した長孔に移動及び／又は停止可能とし、かつこの回転軸の復帰を司るスプリングを設ける構成とした窓のロック部の自動施錠及び／又は開錠と、センサーによる窓の開閉を司る窓の自動開閉システム。
【手続補正２】
【補正対象書類名】明細書
【補正対象項目名】全文
【補正方法】変更
【補正の内容】
【発明の詳細な説明】
【技術分野】
【０００１】
本発明は、ロック部の自動施錠及び／又は開錠で窓の施錠と開錠を図り、また雨水センサー、温度センサー、風センサー等のセンサーの作用で該窓の開閉を図る窓の自動開閉システムに関する。
【背景技術】
【０００２】
従来、家屋（建屋）には、必ず窓があり、この窓は、一般の家屋における躯体と略面一に設けられている構成から、洋風の家屋の如く、出窓・天窓等のように特殊な構成のものまで多種多様である（以下、窓とする）。この窓の開閉は、室内の換気・温度調整・風雨の遮断及び排煙等のために日常的に行われている。一方、防犯の面より施錠及び／又は閉塞が必須である。しかし、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。殊に、障害者等の健常者以外では、この種の窓の施錠及び／又は開閉と、ロック等の所作には、この本人においては、手当てが必要であり問題である。以上のような見地から、一定の条件のもとで窓を自動的に開閉及び／又は施錠・開錠する装置が多数の発明が出願されている。
【０００３】
文献１は、特開２００４−２５０９４６「引違い窓開閉装置」であり、閉窓時は、リモートコントローラーの操作により駆動制御機構の電動モーターを駆動して一方向クラッチを介して窓を閉窓方向に変位させる。開窓時は、リモートコントローラーの操作により開窓時にゼンマイばねの弾性力で窓を開窓方向に変位させることで、窓を開閉可能とすることを特徴とした構成である。また一方向クラッチ等の機構を利用して故障や停電時に手動駆動閉鎖可能とした構成である。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモーター等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【０００６】
さらに文献４は、実開平７−２６５６９号「引き戸式自動開閉窓」であり、電源に接続したリモコン回路、タイマー、駆動モーター等の操作機構と、このリモコン回路、操作機構等を内蔵したボックスと、雨滴検知の湿度センサー等のセンサーと、窓外枠、框に固定した窓開閉部とで構成し、この操作機構を遠隔操作及び／又はセンサー、リモコン回路又はタイマーで作動し、この窓を自動開閉可能としたことを特徴とする構成である。
【０００７】
【特許文献１】特開２００４−２５０９４６
【特許文献２】特開２０００−３１００６８
【特許文献３】特開２００４−１３７８５１
【特許文献４】実開平７−２６５６９号
【発明の開示】
【発明が解決しようとする課題】
【０００８】
文献１は、遠隔操作により窓を自動的に開閉できる。しかし、構成の複雑化、大型化を招来すること、また製造が困難であること、さらに窓等への設置に問題を残すこと等の問題点がある。そして、また雨水センサー等のセンサーがなく天候の変化に対応できないこと、鍵の開閉機構を備えず防犯に対する配慮に欠けること等の課題がある。
【０００９】
文献２は、窓の自動開放が可能であるが、これに対する詳細な構成の記載がなく、発明が特定できないこと、また発明の構成要件を十分に備えていないこと等の如く、発明を把握する上で課題を残している。
【００１０】
文献３は、ロック杆をモーターの制御手段で操作する構成である。従って、構造が複雑となること、コストの上昇を招来すること等の問題がある。またこの発明は、引き違い戸の開閉機構に留まっている。従って、雨水センサー等のセンサーがなく天候の変化に対応できないこと、鍵の開閉機構を備えず防犯に対する配慮に欠けること等の課題がある。
【００１１】
また文献４は、各種のセンサー、遠隔操作スイッチを用いて自動的に開閉できる窓等に関する考案に留まっている。従って、窃盗、盗難等の犯罪時に関する手当てがないこと等の問題があり、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付け可能とすること、また部品点数を少なくし製造の容易化を図ること、そして、必要に応じて洋風の家の窓（出窓等）に取付けが可能な構造を提供すること等を意図する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）とすることで、急な天候の変化及び／又は防犯等に対応可能とすること、また犯罪防止の抑止力として活用すること、さらには安心して外出可能とすること等を意図する。そして、「３」  障害者、子供等に優しい、窓の開放及び／又は閉塞手段を提供することを意図する。
【課題を解決するための手段】
【００１３】
請求項１の発明は、前述の「１」〜「３」の目的を達成することを意図する。
【００１４】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この窓の開放及び／又は閉塞を図る窓開閉機構は、框の上方に取付けた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体を、止め具を介して前記框の上方に取付け、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１５】
請求項２の発明は、前述の「１」〜「３」の目的を達成することを意図する。
【００１６】
請求項２は、  建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１７】
請求項３の発明は、請求項１、請求項２の目的を達成すること、この目的を達成するのに最適な第２制御部を提供すること等を意図する。またこの請求項３は、窓を手動で開閉可能とすること、窓開閉機構の故障時又は動力が機能しない時等に、手動を介して窓を開閉可能とすること等を意図する。
【００１８】
請求項３は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１９】
請求項４の発明は、請求項１〜請求項３の目的を達成すること、この目的を達成するのに最適な窓開閉用の自動手段（他の第２制御部）を提供すること等を意図する。
【００２０】
請求項４は、請求項１〜請求項３に記載の窓開閉機構は、屋外に設置した雨センサー、又は室内の温度センサー、風センサー、或いは遠隔センサーの各種センサーの制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システムである。
【００２１】
請求項５の発明は、請求項１〜請求項３の目的を達成すること、この目的を達成するのに最適なロック施錠、開錠機構を提供すること等を意図する。
【００２２】
請求項５は、請求項１〜請求項３に記載のロック施錠、開錠機構は、窓ガラスに設けたロックセンサー、又は遠隔センサーの各種センサーの自動手段で制御する構成であって、この制御を介して前記ロック片を作動する構成とした窓のロック部の自動施錠及び／又は開錠と、センサーによる窓の開閉を司る窓の自動開閉システムである。
【００２３】
請求項６の発明は、請求項１又は請求項２の目的を達成すること、また窓を手動で開閉可能とすること、窓開閉機構の故障時又は動力が機能しない時等に、手動を介して窓を開閉可能とすること等を意図する。
【００２４】
請求項６は、請求項１又は請求項２に記載の駆動部の駆動部本体を、窓枠の上方に接離可能とするために、この駆動部本体を支持する回転軸を、前記取付具本体に開設した長孔に移動及び／又は停止可能とし、かつこの回転軸の復帰を司るスプリングを設ける構成とした窓のロック部の自動施錠及び／又は開錠と、センサーによる窓の開閉を司る窓の自動開閉システム。
【発明の効果】
【００２５】
請求項１の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、前記ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
窓の開放及び／又は閉塞を図る窓開閉機構は、框の上方に取付けた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、前記駆動部を作動する第２制御部で構成し、
取付具本体を、止め具を介して框の上方に取付け、
また第２制御部の操作で、駆動部を作動し、窓の開閉を図る装置とする構成とした窓のロック部の自動施錠及び／又は開錠と、センサーによる窓の開閉を司る窓の自動開閉システム。である。
【００２６】
従って、請求項１は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞が図れること等の特徴を有する。そして、既設の窓にも簡易かつ確実に取付け可能であること、また部品点数を少なくし製造の容易化が図れること、そして、必要に応じて洋風の家の窓（出窓等）に取付けが可能な構造を提供できること等の実益を有する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）となることで、急な天候の変化及び／又は防犯等に対応可能となること、また犯罪防止の抑止力として活用できること、さらには安心して外出可能となること等の特徴を有する。そして、「３」  障害者、子供等に優しい、窓の開放及び／又は閉塞手段を提供できること等の利点がある。
【００２７】
請求項２の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
取付具本体の窓側にある一方の突出部を、框と窓枠の上方に形成される隙間に下方より挿入し、また取付具本体の部屋側にある他方の突出部と、框の上方の突条部との間に隙間を形成し、隙間に下方よりブッシュを入れ、他方の突出部より挿入した止め具を、窓枠の上方に緊締し、取付具本体を窓枠の上方に固止し、
また第２制御部の操作で、駆動部を作動し、窓の開閉を図る装置とする構成とした窓のロック部の自動施錠及び／又は開錠と、センサーによる窓の開閉を司る窓の自動開閉システムである。
【００２８】
従って、請求項２は、前述の「１」〜「３」の目的を達成できる特徴がある。
【００２９】
請求項３の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、ロック施錠、開錠機構を作動し、前記窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、この伝達機構で駆動され、かつ直接窓枠の上方に当接する回転可能な駆動部本体と、駆動部を作動する第２制御部で構成し、
取付具本体の窓側にある一方の突出部を、框と窓枠の上方に形成される隙間に下方より挿入し、また取付具本体の部屋側にある他方の突出部と、框の上方の突条部との間に隙間を形成し、隙間に下方よりブッシュを入れ、他方の突出部より挿入した止め具を、窓枠の上方に緊締し、取付具本体をこの窓枠の上方に固止し、
また取付具本体に設けた挾持片に調整具を設け、調整具の螺入螺戻で前記駆動部、伝達機構をカバーするケース及び／又は駆動部本体を前進、後退可能とし、
また第２制御部の操作で、駆動部を作動し、窓の開閉を図る装置とする構成とした窓のロック部の自動施錠及び／又は開錠と、センサーによる窓の開閉を司る窓の自動開閉システムク部の自動施錠及び／又は開錠と、センサーによる窓の開閉を司る窓の自動開閉システムである。
【００３０】
従って、請求項３は、請求項１、請求項２の目的を達成できること、この目的を達成するのに最適な第２制御部を提供できること等の特徴を有する。またこの請求項３は、窓を手動で開閉可能となること、窓開閉機構の故障時又は動力が機能しない時等に、手動を介して窓を開閉可能となること等の特徴を有する。
【００３１】
請求項４は、請求項１〜請求項３に記載の窓開閉機構は、屋外に設置した雨センサー、又は室内の温度センサー、風センサー、或いは遠隔センサーの各種センサーの制御部で機能する構成であって、制御部の指令でこの窓開閉機構を構成する駆動部を作動し、窓を開閉する構成とした窓のロック部の自動施錠及び／又は開錠と、センサーによる窓の開閉を司る窓の自動開閉システムである。
【００３２】
従って、請求項４は、請求項１〜請求項３の目的を達成できること、この目的を達成するのに最適な窓開閉用の自動手段（他の第２制御部）を提供できること等の特徴を有する。
【００３３】
請求項５は、請求項１〜請求項３に記載のロック施錠、開錠機構は、窓ガラスに設けたロックセンサー、又は遠隔センサーの各種センサーの自動手段で制御する構成であって、制御を介して前記ロック片を作動する構成とした窓のロック部の自動施錠及び／又は開錠と、センサーによる窓の開閉を司る窓の自動開閉システムである。
【００３４】
従って、請求項５は、請求項１〜請求項３の目的を達成できること、この目的を達成するのに最適なロック施錠、開錠機構を提供できること等の特徴を有する。
【００３５】
請求項６の発明は、請求項１又は請求項２に記載の駆動部の駆動部本体を、窓枠の上方に接離可能とするために、駆動部本体を支持する回転軸を、取付具本体に開設した長孔に移動及び／又は停止可能とし、かつ回転軸の復帰を司るスプリングを設ける構成とした窓のロック部の自動施錠及び／又は開錠と、センサーによる窓の開閉を司る窓の自動開閉システムである。
【００３６】
従って、請求項６は、請求項１又は請求項２の目的を達成できること、また窓を手動で開閉可能となること、窓開閉機構の故障時又は動力が機能しない時等に、手動を介して窓を開閉可能となること等の特徴を有する。
【発明を実施するための最良の形態】
【００３７】
本発明の各実施例を、図面を参照して説明する。
【００３８】
〔１〕  先ず、共通する本発明の自動ロック施錠・開錠装置のロック施錠、開錠機構１と、ロック部２の関係を説明する。このロック施錠、開錠機構１は、ロック部２の施錠・開錠を司る構造であり、この例では、ロック部２は、他方の窓枠３−２に開設した従来の孔を利用して取付けられた基台４と、この基台４に蟻溝嵌合等のガイド機構を介して昇降自在に設けたロック本体５と、このロック本体５を可動する基台４に内蔵した図示しない駆動部と、一方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、ロック部２の施錠・開錠が図れる。尚、ロック施錠、開錠機構１の第１制御部は、遠隔操作を主体とするが、手動もあり得る。またこのロック施錠、開錠機構１及び／又はガラス３ａ等に振動センサー７（警報センサー）を付設することも可能であり、例えば、この振動センサー７を、前記ロック本体５及び／又は一方の窓枠３−１又は他方の窓枠３−２（窓枠３−１等とする）、ガラス３ａ等の何れかの箇所に単独及び／又は併用して設け、このロック本体５等への振動、破損等の事故、被害が発生した段階で、警報を発し、所定の箇所に異常を通知する等して、防犯用としての利用、また施錠失念用としての利用等が考えられる。またロック施錠、開錠機構１をカバー８で隠蔽し、窓枠３−１等、ガラス３ａ等が破損された異常事態での保護を図る。
【００３９】
そして、このロック施錠、開錠機構１の制御機構は、図３−１から図３−４に示した各例があるので、個別に説明する。先ず、図３−１は簡単な構造を確保し、簡易な操作と、操作の誤りを回避する構造であって、第１制御部１００を開閉釦の二釦構造とする。また図３−２は、多機能な構造の一例であり、ロック施錠、開錠機構１の係脱及び／又は窓開閉機構１０の開閉を全て自動とする構造であって、簡便化、自動化することにより、老人、障害者、認知症患者、或は子供等の如く、弱者や理解の困難な者でも間違いのない操作が可能な構造を意図する。この例では、ロック施錠、開錠機構１の第１制御部１００に、窓開閉機構１０の開閉釦の二釦構造を採用した第２制御部１０００を併用する。そして、各例とも、開閉釦の二釦構造は、開放を示す開の文字・点字、色による識別で例えば青、閉塞を示す文字・点字、色による識別で例えば赤の如く識別する構造、図示の形態の変更する構造等がある。また図３−３は図３−２の例にさらに多機能を付加した構造であり、温湿度の表示、スイッチの入り切りの表示等を付加した構造であり、使用の簡便化、利便性の向上等を意図する。また図３−４は簡単な構造を確保し、簡易な操作と、操作の誤りを回避する構造であって、第２制御部１０００を開閉釦の二釦構造とする。
【００４０】
〔２〕  本発明の窓９の開閉及び駆動部の制御を司る窓開閉機構１０（自動窓開閉装置）と、この窓開閉機構１０を動作する第２制御部１０００（雨水センサー、温度センサー、風センサー等のセンサー。以下、雨水センサー３０とする）の関係を各実施例について説明する。
【００４１】
〔２−１〕  図４−１、図４−２は請求項１に記載の第一の実施例であり、歯車機構１６、回転輪１５、回転軸１３を使用した窓開閉機構１０である。この窓開閉機構１０は、窓９の上方を支持する框９０（建物、固定手段等の固定物、以下、省略する）の上方の突条部９０ａに（直接）設けた取付具本体１１の窓側の一方の突出部１１ｂと、この取付具本体１１の窓側の一方の突出部１１ｂに設けた止め具１２と、前記取付具本体１１に吊下した回転軸１３と、この回転軸１３に設けた歯車機構１６（傘歯車、ウォーム、平歯車等による伝達機構）及び／又は後述するケースの開口より突出する回転輪１５（駆動部本体）と、この歯車機構１６を駆動するモーター等の駆動部１７で構成されており、その動力の伝達は、スイッチＯＮで（雨水センサー３０の検知）→駆動部１７（正転）→歯車機構１６→回転輪１５である。そして、回転輪１５には、窓枠３−１等に圧接するゴム、樹脂等の粘着体、又は植毛等の粘性体でなる係止部１５ａが設けられており、この係止部１５ａとの圧接と、この係止部１５ａの回転を利用して窓９が開閉する。そこで、例えば、窓９の開放は、雨水センサー３０の検知→駆動部１７（正転）→歯車機構１６→回転輪１５及び／又は係止部１５ａ→窓９（可動と開放）という工程である。また窓９の閉塞は前述の逆の可動及び／又は操作となる。尚、前記取付具本体１１を、框９０の上方に固止するには、この取付具本体１１の窓側の一方の突出部１１ｂを、框９０の上方の突条部９０ａに設けるとともに、この窓側の一方の突出部１１ｂに設けた止め具１２を介して框９０の上方の突条部９０ａに取付ける構成である。
【００４２】
そして、前述の如く、雨水センサー３０に代わり、遠隔操作、その他のセンサー、又は携帯電話等による操作も可能である。尚、係止部１５ａ及び／又は窓枠３−１等に凹凸、スリット等の滑り止め手段を設けることもあり得る。この各凹凸、スリット等の滑り止め手段の構成を採用することで、確実な窓９の可動が図れる特徴がある。そして、この窓９の移動で該窓９の開閉が行われる。またこの回転輪１５の正逆回転は、駆動部１７の正逆回転と、歯車機構１６（傘歯車、ウォーム、平歯車等による伝達機構）の伝達を介して行う構成が望ましい。駆動部１７の出力軸（図示せず）を伝達機構とする構成、又は媒体（図示せず）を介して回転軸１３に連絡する構成の伝達機構もあり得る。また図４−２の例の如く、取付具本体１１に移動孔１１ａを開設し、この移動孔１１ａを利用して回転軸１３が移動及び／又は停止されることで、前記係止部１５ａと窓枠３−１等との圧接をなくし、手動による窓９の開閉を図る構成とすることも可能であり、前述の如く、種々の特徴が図れる。図中１９は回転軸１３の復帰を図るスプリングを示す。
【００４３】
〔２−２〕  図５−１〜図５−３は請求項２に記載の第二の実施例であり、原則として、前述の第一の実施例に準ずる。従って、その相違点に関して説明すると、この例は、取付具本体１１を、躯体９１に設けた框９０の上方の突条部９０ａに止め具１２等を介して着脱自在に設ける構成であり、具体的には、この取付具本体１１の窓側の一方の突出部１１ｂを、框９０の上方の突条部９０ａと窓枠３−１の上方で形成される上方の隙間Ｈへの挿入と、この取付具本体１１の部屋側の一方の突出部１１ｂに設けた止め具１２とを利用し、該取付具本体１１を固止する構成である。この一例では、取付具本体１１の窓側の一方の突出部１１ｂを上方の隙間Ｈに下方より挿入し、その後、突条部９０ａと部屋側の他方の突出部１１ｂとの間に設けたブッシュ２３と、この他方の突出部１１ｂに設けた止め具１２を介して框９０の上方の突条部９０ａに、該取付具本体１１を固止する。そして、この取付具本体１１には回転軸１３を介して回転輪１５が回転自在に架承されている。尚、窓９の開閉、動力の伝達等は、前述と同様であり省略する。
【００４４】
〔２−３〕  図７−１、図７−２は請求項６に記載の第三の実施例であり、取付具本体１１の両端に挾持片１１ｃを設け、この挾持片１１ｃにケース２０（カバー）の鍔片２０ａを挿入し、このケース２０の底面２０ｃに設けた歯車ケース２１より駆動部１７の出力軸１７ａに歯車機構１６を介して設けた中間軸２２を突設し、この中間軸２２の嵌入及び／又は止めピン２２ａを介して回転軸１３を連繋し、この回転軸１３に回転輪１５を固止する。またこの回転輪１５はケース２０の開口より突出する。そして、この例では、取付具本体１１に設けた調整具２４を介してケース２０及び／又はその回転輪１５を前後動させる（図７−１において向かって左右方向、即ち、矢印「イ」）。この調整具２４の螺入で、ケース２０及び／又はその回転輪１５が前進し、回転輪１５が窓枠３−１の上方に当接し、この当接時において、駆動部１７の回転で該窓９が可動する。また調整具２４の螺戻で、ケース２０及び／又はその回転輪１５が後退し、回転輪１５が窓枠３−１の上方より離間し、この離間において、窓枠３−１等の自由な可動が図れる。その他は前述の各実施例に準ずる。
【００４５】
そして、本発明の特徴とする処は、自動開閉システムを既設の窓枠３−１、ガラス３ａ、框９０の上方にそれぞれ設置できるので、この窓枠３−１、ガラス３ａ、框９０の上方や建物等の有効利用と、コストの削減化、廃棄に伴う弊害の解除と、環境保護に役立つ等の有益性を有する。尚、新設の窓枠３−１、ガラス３ａ、框９０の上方や建物等にも利用できることは勿論である。さらに新設の窓枠３−１、ガラス３ａ、框９０の上方や建物等において、最初より一体構造として利用できる構成となっている。
【００４６】
尚、本発明の使用の一例を図８に基づいて説明すると、図８は本発明の回路模式図であり、３１は電池、３２はタイマー、温度センサー３３又は雨水センサー３０、振動センサー７等を示している。従って、例えば、設定時間になりタイマー３２が作動した場合、また温度センサー３３が一定の温度になった場合、雨水センサー３０で雨水を感知した場合、又は遠隔操作等によって通電するスイッチ３４が設けられている。またセンサー等は雨水センサー３０、振動センサー７、風センサー３５、また人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。尚、前記風センサー３５の例では、強風時の窓９の開閉を確実に行い、弊害を解消することを意図する。
【図面の簡単な説明】
【００４７】
【図１】本発明のロック施錠、開錠機構の正面図
【図２−１】本発明のロック施錠、開錠機構の断面図
【図２−２】図２−１にカバーを取付けた断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明のロック施錠、開錠機構の第１制御部と窓開閉機構の第２制御部とを併用した他の例の正面図
【図３−４】本発明の窓開閉機構の第２制御部の正面図
【図４−１】本発明の第一の実施例を表した要部の側面模式図
【図４−２】図４−１の平面図
【図５−１】本発明の第二の実施例を表した要部の側面模式図
【図５−２】図５−１のＡ−Ａ断面図
【図６】本発明の第一の実施例の取付具本体と回転軸及び／又は移動孔との関係を表した要部の平面模式図
【図７−１】本発明の第三の実施例を表した要部の側面模式図
【図７−２】図７−１の側面図
【図８】本発明の回路の一例を表した回路図
【符号の説明】
【００４８】
１          ロック施錠、開錠機構
２          ロック部
３ａ        ガラス
３−１      一方の窓枠
３−２      他方の窓枠
４          基台
５          ロック本体
５００      ロック爪
６          ロック片
７          振動センサー
８          カバー
９          窓
９０        框
９０ａ      突条部
９１        躯体
１０        窓開閉機構
１００      第１制御部
１０００    第２制御部
１１        取付具本体
１１ａ      移動孔
１１ｂ      突出部
１１ｃ      挟持片
１２        止め具
１３        回転軸
１５        回転輪
１５ａ      係止部
１６        歯車機構
１７        駆動部
１７ａ      出力軸
１９        スプリング
２０        ケース
２０ａ      鍔片
２０ｂ      中間壁
２０ｃ      底面
２１        歯車ケース
２２        中間軸
２２ａ      止めピン
２３        ブッシュ
２４        調整具
３０        雨水センサー
３１        電池
３２        タイマー
３３        温度センサー
３４        スイッチ
３５        風センサー
Ｈ          隙間
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体を、止め具を介して前記框の上方に取付け、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項２】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間にブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項３】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間にブッシュを入れ、この他方の突出部より挿入した前記止め具を、前記框の上方に緊締し、該取付具本体をこの框の上方に固止し、 また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項４】
請求項１又は請求項２又は請求項３に記載の窓開閉機構は、屋外に設置した雨センサー、又は室内の温度センサー、風センサー、或いは遠隔センサーの各種センサーの制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システム。
【請求項５】
請求項１又は請求項２又は請求項３に記載のロック施錠、開錠機構は、窓ガラスに設けたロックセンサー、又は遠隔センサーの各種センサーの自動手段で制御する構成であって、この制御を介して前記ロック片を作動する構成とした窓のロック部の自動施錠及び／又は開錠と、センサーによる窓の開閉を司る窓の自動開閉システム。
【請求項６】
請求項１又は請求項２に記載の駆動部の駆動部本体を、窓枠の上方に接離可能とするために、この駆動部本体を支持する回転軸を、前記取付具本体に開設した長孔に移動及び／又は停止可能とし、かつこの回転軸の復帰を司るスプリングを設ける構成とした窓のロック部の自動施錠及び／又は開錠と、センサーによる窓の開閉を司る窓の自動開閉システム。
【手続補正２】
【補正対象書類名】明細書
【補正対象項目名】全文
【補正方法】変更
【補正の内容】
【発明の詳細な説明】
【技術分野】
【０００１】
本発明は、ロック部の自動施錠及び／又は開錠で窓の施錠と開錠を図り、また雨水センサー、温度センサー、風センサー等のセンサーの作用で該窓の開閉を図る窓の自動開閉システムに関する。
【背景技術】
【０００２】
従来、家屋（建屋）には、必ず窓があり、この窓は、一般の家屋における躯体と略面一に設けられている構成から、洋風の家屋の如く、出窓・天窓等のように特殊な構成のものまで多種多様である（以下、窓とする）。この窓の開閉は、室内の換気・温度調整・風雨の遮断及び排煙等のために日常的に行われている。一方、防犯の面より施錠及び／又は閉塞が必須である。しかし、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。殊に、障害者等の健常者以外では、この種の窓の施錠及び／又は開閉と、ロック等の所作には、この本人においては、手当てが必要であり問題である。以上のような見地から、一定の条件のもとで窓を自動的に開閉及び／又は施錠・開錠する装置が多数の発明が出願されている。
【０００３】
文献１は、特開２００４−２５０９４６「引違い窓開閉装置」であり、閉窓時は、リモートコントローラーの操作により駆動制御機構の電動モーターを駆動して一方向クラッチを介して窓を閉窓方向に変位させる。開窓時は、リモートコントローラーの操作により開窓時にゼンマイばねの弾性力で窓を開窓方向に変位させることで、窓を開閉可能とすることを特徴とした構成である。また一方向クラッチ等の機構を利用して故障や停電時に手動駆動閉鎖可能とした構成である。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモーター等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【０００６】
さらに文献４は、実開平７−２６５６９号「引き戸式自動開閉窓」であり、電源に接続したリモコン回路、タイマー、駆動モーター等の操作機構と、このリモコン回路、操作機構等を内蔵したボックスと、雨滴検知の湿度センサー等のセンサーと、窓外枠、框に固定した窓開閉部とで構成し、この操作機構を遠隔操作及び／又はセンサー、リモコン回路又はタイマーで作動し、この窓を自動開閉可能としたことを特徴とする構成である。
【０００７】
【特許文献１】特開２００４−２５０９４６
【特許文献２】特開２０００−３１００６８
【特許文献３】特開２００４−１３７８５１
【特許文献４】実開平７−２６５６９号
【発明の開示】
【発明が解決しようとする課題】
【０００８】
文献１は、遠隔操作により窓を自動的に開閉できる。しかし、構成の複雑化、大型化を招来すること、また製造が困難であること、さらに窓等への設置に問題を残すこと等の問題点がある。そして、また雨水センサー等のセンサーがなく天候の変化に対応できないこと、鍵の開閉機構を備えず防犯に対する配慮に欠けること等の課題がある。
【０００９】
文献２は、窓の自動開放が可能であるが、これに対する詳細な構成の記載がなく、発明が特定できないこと、また発明の構成要件を十分に備えていないこと等の如く、発明を把握する上で課題を残している。
【００１０】
文献３は、ロック杆をモーターの制御手段で操作する構成である。従って、構造が複雑となること、コストの上昇を招来すること等の問題がある。またこの発明は、引き違い戸の開閉機構に留まっている。従って、雨水センサー等のセンサーがなく天候の変化に対応できないこと、鍵の開閉機構を備えず防犯に対する配慮に欠けること等の課題がある。
【００１１】
また文献４は、各種のセンサー、遠隔操作スイッチを用いて自動的に開閉できる窓等に関する考案に留まっている。従って、窃盗、盗難等の犯罪時に関する手当てがないこと等の問題があり、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付け可能とすること、また部品点数を少なくし製造の容易化を図ること、そして、必要に応じて洋風の家の窓（出窓等）に取付けが可能な構造を提供すること等を意図する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）とすることで、急な天候の変化及び／又は防犯等に対応可能とすること、また犯罪防止の抑止力として活用すること、さらには安心して外出可能とすること等を意図する。そして、「３」  障害者、子供等に優しい、窓の開放及び／又は閉塞手段を提供することを意図する。
【課題を解決するための手段】
【００１３】
請求項１の発明は、前述の「１」〜「３」の目的を達成することを意図する。
【００１４】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この窓の開放及び／又は閉塞を図る窓開閉機構は、框の上方に取付けた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体を、止め具を介して前記框の上方に取付け、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１５】
請求項２の発明は、前述の「１」〜「３」の目的を達成することを意図する。
【００１６】
請求項２は、  建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間にブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１７】
請求項３の発明は、請求項１、請求項２の目的を達成すること、この目的を達成するのに最適な第２制御部を提供すること等を意図する。またこの請求項３は、窓を手動で開閉可能とすること、窓開閉機構の故障時又は動力が機能しない時等に、手動を介して窓を開閉可能とすること等を意図する。
【００１８】
請求項３は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けた対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框と窓枠の上方に形成される隙間に下方より挿入し、またこの取付具本体の部屋側にある他方の突出部と、前記框の上方の突条部との間にブッシュを入れ、この他方の突出部より挿入した前記止め具を、前記框の上方に緊締し、該取付具本体をこの框の上方に固止し、
また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１９】
請求項４の発明は、請求項１〜請求項３の目的を達成すること、この目的を達成するのに最適な窓開閉用の自動手段（他の第２制御部）を提供すること等を意図する。
【００２０】
請求項４は、請求項１〜請求項３に記載の窓開閉機構は、屋外に設置した雨センサー、又は室内の温度センサー、風センサー、或いは遠隔センサーの各種センサーの制御部で機能する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システムである。
【００２１】
請求項５の発明は、請求項１〜請求項３の目的を達成すること、この目的を達成するのに最適なロック施錠、開錠機構を提供すること等を意図する。
【００２２】
請求項５は、請求項１〜請求項３に記載のロック施錠、開錠機構は、窓ガラスに設けたロックセンサー、又は遠隔センサーの各種センサーの自動手段で制御する構成であって、この制御を介して前記ロック片を作動する構成とした窓のロック部の自動施錠及び／又は開錠と、センサーによる窓の開閉を司る窓の自動開閉システムである。
【００２３】
請求項６の発明は、請求項１又は請求項２の目的を達成すること、また窓を手動で開閉可能とすること、窓開閉機構の故障時又は動力が機能しない時等に、手動を介して窓を開閉可能とすること等を意図する。
【００２４】
請求項６は、請求項１又は請求項２に記載の駆動部の駆動部本体を、窓枠の上方に接離可能とするために、この駆動部本体を支持する回転軸を、前記取付具本体に開設した長孔に移動及び／又は停止可能とし、かつこの回転軸の復帰を司るスプリングを設ける構成とした窓のロック部の自動施錠及び／又は開錠と、センサーによる窓の開閉を司る窓の自動開閉システム。
【発明の効果】
【００２５】
請求項１の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、前記ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
窓の開放及び／又は閉塞を図る窓開閉機構は、框の上方に取付けた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、前記駆動部を作動する第２制御部で構成し、
取付具本体を、止め具を介して框の上方に取付け、
また第２制御部の操作で、駆動部を作動し、窓の開閉を図る装置とする構成とした窓のロック部の自動施錠及び／又は開錠と、センサーによる窓の開閉を司る窓の自動開閉システム。である。
【００２６】
従って、請求項１は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞が図れること等の特徴を有する。そして、既設の窓にも簡易かつ確実に取付け可能であること、また部品点数を少なくし製造の容易化が図れること、そして、必要に応じて洋風の家の窓（出窓等）に取付けが可能な構造を提供できること等の実益を有する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）となることで、急な天候の変化及び／又は防犯等に対応可能となること、また犯罪防止の抑止力として活用できること、さらには安心して外出可能となること等の特徴を有する。そして、「３」  障害者、子供等に優しい、窓の開放及び／又は閉塞手段を提供できること等の利点がある。
【００２７】
請求項２の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
取付具本体の窓側にある一方の突出部を、框と窓枠の上方に形成される隙間に下方より挿入し、また取付具本体の部屋側にある他方の突出部と、框の上方の突条部との間にブッシュを入れ、他方の突出部より挿入した止め具を、窓枠の上方に緊締し、取付具本体を窓枠の上方に固止し、
また第２制御部の操作で、駆動部を作動し、窓の開閉を図る装置とする構成とした窓のロック部の自動施錠及び／又は開錠と、センサーによる窓の開閉を司る窓の自動開閉システムである。
【００２８】
従って、請求項２は、前述の「１」〜「３」の目的を達成できる特徴がある。
【００２９】
請求項３の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、ロック施錠、開錠機構を作動し、前記窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けた対の突出部を備えた取付具本体と、取付具本体に設けた止め具と、取付具本体に設けた正逆転可能な駆動部と、駆動部に設けた伝達機構と、この伝達機構で駆動され、かつ直接窓枠の上方に当接する回転可能な駆動部本体と、駆動部を作動する第２制御部で構成し、
取付具本体の窓側にある一方の突出部を、框と窓枠の上方に形成される隙間に下方より挿入し、また取付具本体の部屋側にある他方の突出部と、框の上方の突条部との間にブッシュを入れ、他方の突出部より挿入した止め具を、窓枠の上方に緊締し、取付具本体をこの窓枠の上方に固止し、
また取付具本体に設けた挾持片に調整具を設け、調整具の螺入螺戻で前記駆動部、伝達機構をカバーするケース及び／又は駆動部本体を前進、後退可能とし、
また第２制御部の操作で、駆動部を作動し、窓の開閉を図る装置とする構成とした窓のロック部の自動施錠及び／又は開錠と、センサーによる窓の開閉を司る窓の自動開閉システムク部の自動施錠及び／又は開錠と、センサーによる窓の開閉を司る窓の自動開閉システムである。
【００３０】
従って、請求項３は、請求項１、請求項２の目的を達成できること、この目的を達成するのに最適な第２制御部を提供できること等の特徴を有する。またこの請求項３は、窓を手動で開閉可能となること、窓開閉機構の故障時又は動力が機能しない時等に、手動を介して窓を開閉可能となること等の特徴を有する。
【００３１】
請求項４は、請求項１〜請求項３に記載の窓開閉機構は、屋外に設置した雨センサー、又は室内の温度センサー、風センサー、或いは遠隔センサーの各種センサーの制御部で機能する構成であって、制御部の指令でこの窓開閉機構を構成する駆動部を作動し、窓を開閉する構成とした窓のロック部の自動施錠及び／又は開錠と、センサーによる窓の開閉を司る窓の自動開閉システムである。
【００３２】
従って、請求項４は、請求項１〜請求項３の目的を達成できること、この目的を達成するのに最適な窓開閉用の自動手段（他の第２制御部）を提供できること等の特徴を有する。
【００３３】
請求項５は、請求項１〜請求項３に記載のロック施錠、開錠機構は、窓ガラスに設けたロックセンサー、又は遠隔センサーの各種センサーの自動手段で制御する構成であって、制御を介して前記ロック片を作動する構成とした窓のロック部の自動施錠及び／又は開錠と、センサーによる窓の開閉を司る窓の自動開閉システムである。
【００３４】
従って、請求項５は、請求項１〜請求項３の目的を達成できること、この目的を達成するのに最適なロック施錠、開錠機構を提供できること等の特徴を有する。
【００３５】
請求項６の発明は、請求項１又は請求項２に記載の駆動部の駆動部本体を、窓枠の上方に接離可能とするために、駆動部本体を支持する回転軸を、取付具本体に開設した長孔に移動及び／又は停止可能とし、かつ回転軸の復帰を司るスプリングを設ける構成とした窓のロック部の自動施錠及び／又は開錠と、センサーによる窓の開閉を司る窓の自動開閉システムである。
【００３６】
従って、請求項６は、請求項１又は請求項２の目的を達成できること、また窓を手動で開閉可能となること、窓開閉機構の故障時又は動力が機能しない時等に、手動を介して窓を開閉可能となること等の特徴を有する。
【発明を実施するための最良の形態】
【００３７】
本発明の各実施例を、図面を参照して説明する。
【００３８】
〔１〕  先ず、共通する本発明の自動ロック施錠・開錠装置のロック施錠、開錠機構１と、ロック部２の関係を説明する。このロック施錠、開錠機構１は、ロック部２の施錠・開錠を司る構造であり、この例では、ロック部２は、他方の窓枠３−２に開設した従来の孔を利用して取付けられた基台４と、この基台４に蟻溝嵌合等のガイド機構を介して昇降自在に設けたロック本体５と、このロック本体５を可動する基台４に内蔵した図示しない駆動部と、一方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、ロック部２の施錠・開錠が図れる。尚、ロック施錠、開錠機構１の第１制御部は、遠隔操作を主体とするが、手動もあり得る。またこのロック施錠、開錠機構１及び／又はガラス３ａ等に振動センサー７（警報センサー）を付設することも可能であり、例えば、この振動センサー７を、前記ロック本体５及び／又は一方の窓枠３−１又は他方の窓枠３−２（窓枠３−１等とする）、ガラス３ａ等の何れかの箇所に単独及び／又は併用して設け、このロック本体５等への振動、破損等の事故、被害が発生した段階で、警報を発し、所定の箇所に異常を通知する等して、防犯用としての利用、また施錠失念用としての利用等が考えられる。またロック施錠、開錠機構１をカバー８で隠蔽し、窓枠３−１等、ガラス３ａ等が破損された異常事態での保護を図る。
【００３９】
そして、このロック施錠、開錠機構１の制御機構は、図３−１から図３−４に示した各例があるので、個別に説明する。先ず、図３−１は簡単な構造を確保し、簡易な操作と、操作の誤りを回避する構造であって、第１制御部１００を開閉釦の二釦構造とする。また図３−２は、多機能な構造の一例であり、ロック施錠、開錠機構１の係脱及び／又は窓開閉機構１０の開閉を全て自動とする構造であって、簡便化、自動化することにより、老人、障害者、認知症患者、或は子供等の如く、弱者や理解の困難な者でも間違いのない操作が可能な構造を意図する。この例では、ロック施錠、開錠機構１の第１制御部１００に、窓開閉機構１０の開閉釦の二釦構造を採用した第２制御部１０００を併用する。そして、各例とも、開閉釦の二釦構造は、開放を示す開の文字・点字、色による識別で例えば青、閉塞を示す文字・点字、色による識別で例えば赤の如く識別する構造、図示の形態の変更する構造等がある。また図３−３は図３−２の例にさらに多機能を付加した構造であり、温湿度の表示、スイッチの入り切りの表示等を付加した構造であり、使用の簡便化、利便性の向上等を意図する。また図３−４は簡単な構造を確保し、簡易な操作と、操作の誤りを回避する構造であって、第２制御部１０００を開閉釦の二釦構造とする。
【００４０】
〔２〕  本発明の窓９の開閉及び駆動部の制御を司る窓開閉機構１０（自動窓開閉装置）と、この窓開閉機構１０を動作する第２制御部１０００（雨水センサー、温度センサー、風センサー等のセンサー。以下、雨水センサー３０とする）の関係を各実施例について説明する。
【００４１】
〔２−１〕  図４−１、図４−２は請求項１に記載の第一の実施例であり、歯車機構１６、回転輪１５、回転軸１３を使用した窓開閉機構１０である。この窓開閉機構１０は、窓９の上方を支持する框９０（建物、固定手段等の固定物、以下、省略する）の上方の突条部９０ａに（直接）設けた取付具本体１１の窓側の一方の突出部１１ｂと、この取付具本体１１の窓側の一方の突出部１１ｂに設けた止め具１２と、前記取付具本体１１に吊下した回転軸１３と、この回転軸１３に設けた歯車機構１６（傘歯車、ウォーム、平歯車等による伝達機構）及び／又は後述するケースの開口より突出する回転輪１５（駆動部本体）と、この歯車機構１６を駆動するモーター等の駆動部１７で構成されており、その動力の伝達は、スイッチＯＮで（雨水センサー３０の検知）→駆動部１７（正転）→歯車機構１６→回転輪１５である。そして、回転輪１５には、窓枠３−１等に圧接するゴム、樹脂等の粘着体、又は植毛等の粘性体でなる係止部１５ａが設けられており、この係止部１５ａとの圧接と、この係止部１５ａの回転を利用して窓９が開閉する。そこで、例えば、窓９の開放は、雨水センサー３０の検知→駆動部１７（正転）→歯車機構１６→回転輪１５及び／又は係止部１５ａ→窓９（可動と開放）という工程である。また窓９の閉塞は前述の逆の可動及び／又は操作となる。尚、前記取付具本体１１を、框９０の上方に固止するには、この取付具本体１１の窓側の一方の突出部１１ｂを、框９０の上方の突条部９０ａに設けるとともに、この窓側の一方の突出部１１ｂに設けた止め具１２を介して框９０の上方の突条部９０ａに取付ける構成である。
【００４２】
そして、前述の如く、雨水センサー３０に代わり、遠隔操作、その他のセンサー、又は携帯電話等による操作も可能である。尚、係止部１５ａ及び／又は窓枠３−１等に凹凸、スリット等の滑り止め手段を設けることもあり得る。この各凹凸、スリット等の滑り止め手段の構成を採用することで、確実な窓９の可動が図れる特徴がある。そして、この窓９の移動で該窓９の開閉が行われる。またこの回転輪１５の正逆回転は、駆動部１７の正逆回転と、歯車機構１６（傘歯車、ウォーム、平歯車等による伝達機構）の伝達を介して行う構成が望ましい。駆動部１７の出力軸（図示せず）を伝達機構とする構成、又は媒体（図示せず）を介して回転軸１３に連絡する構成の伝達機構もあり得る。また図４−２の例の如く、取付具本体１１に移動孔１１ａを開設し、この移動孔１１ａを利用して回転軸１３が移動及び／又は停止されることで、前記係止部１５ａと窓枠３−１等との圧接をなくし、手動による窓９の開閉を図る構成とすることも可能であり、前述の如く、種々の特徴が図れる。図中１９は回転軸１３の復帰を図るスプリングを示す。
【００４３】
〔２−２〕  図５−１〜図５−３は請求項２に記載の第二の実施例であり、原則として、前述の第一の実施例に準ずる。従って、その相違点に関して説明すると、この例は、取付具本体１１を、躯体９１に設けた框９０の上方の突条部９０ａに止め具１２等を介して着脱自在に設ける構成であり、具体的には、この取付具本体１１の窓側の一方の突出部１１ｂを、框９０の上方の突条部９０ａと窓枠３−１の上方で形成される上方の隙間Ｈへの挿入と、この取付具本体１１の部屋側の一方の突出部１１ｂに設けた止め具１２とを利用し、該取付具本体１１を固止する構成である。この一例では、取付具本体１１の窓側の一方の突出部１１ｂを上方の隙間Ｈに下方より挿入し、その後、突条部９０ａと部屋側の他方の突出部１１ｂとの間に設けたブッシュ２３と、この他方の突出部１１ｂに設けた止め具１２を介して框９０の上方の突条部９０ａに、該取付具本体１１を固止する。そして、この取付具本体１１には回転軸１３を介して回転輪１５が回転自在に架承されている。尚、窓９の開閉、動力の伝達等は、前述と同様であり省略する。
【００４４】
〔２−３〕  図７−１、図７−２は請求項６に記載の第三の実施例であり、取付具本体１１の両端に挾持片１１ｃを設け、この挾持片１１ｃにケース２０（カバー）の鍔片２０ａを挿入し、このケース２０の底面２０ｃに設けた歯車ケース２１より駆動部１７の出力軸１７ａに歯車機構１６を介して設けた中間軸２２を突設し、この中間軸２２の嵌入及び／又は止めピン２２ａを介して回転軸１３を連繋し、この回転軸１３に回転輪１５を固止する。またこの回転輪１５はケース２０の開口より突出する。そして、この例では、取付具本体１１に設けた調整具２４を介してケース２０及び／又はその回転輪１５を前後動させる（図７−１において向かって左右方向、即ち、矢印「イ」）。この調整具２４の螺入で、ケース２０及び／又はその回転輪１５が前進し、回転輪１５が窓枠３−１の上方に当接し、この当接時において、駆動部１７の回転で該窓９が可動する。また調整具２４の螺戻で、ケース２０及び／又はその回転輪１５が後退し、回転輪１５が窓枠３−１の上方より離間し、この離間において、窓枠３−１等の自由な可動が図れる。その他は前述の各実施例に準ずる。
【００４５】
そして、本発明の特徴とする処は、自動開閉システムを既設の窓枠３−１、ガラス３ａ、框９０の上方にそれぞれ設置できるので、この窓枠３−１、ガラス３ａ、框９０の上方や建物等の有効利用と、コストの削減化、廃棄に伴う弊害の解除と、環境保護に役立つ等の有益性を有する。尚、新設の窓枠３−１、ガラス３ａ、框９０の上方や建物等にも利用できることは勿論である。さらに新設の窓枠３−１、ガラス３ａ、框９０の上方や建物等において、最初より一体構造として利用できる構成となっている。
【００４６】
尚、本発明の使用の一例を図８に基づいて説明すると、図８は本発明の回路模式図であり、３１は電池、３２はタイマー、温度センサー３３又は雨水センサー３０、振動センサー７等を示している。従って、例えば、設定時間になりタイマー３２が作動した場合、また温度センサー３３が一定の温度になった場合、雨水センサー３０で雨水を感知した場合、又は遠隔操作等によって通電するスイッチ３４が設けられている。またセンサー等は雨水センサー３０、振動センサー７、風センサー３５、また人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。尚、前記風センサー３５の例では、強風時の窓９の開閉を確実に行い、弊害を解消することを意図する。
【図面の簡単な説明】
【００４７】
【図１】本発明のロック施錠、開錠機構の正面図
【図２−１】本発明のロック施錠、開錠機構の断面図
【図２−２】図２−１にカバーを取付けた断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明のロック施錠、開錠機構の第１制御部と窓開閉機構の第２制御部とを併用した他の例の正面図
【図３−４】本発明の窓開閉機構の第２制御部の正面図
【図４−１】本発明の第一の実施例を表した要部の側面模式図
【図４−２】図４−１の平面図
【図５−１】本発明の第二の実施例を表した要部の側面模式図
【図５−２】図５−１のＡ−Ａ断面図
【図６】本発明の第一の実施例の取付具本体と回転軸及び／又は移動孔との関係を表した要部の平面模式図
【図７−１】本発明の第三の実施例を表した要部の側面模式図
【図７−２】図７−１の側面図
【図８】本発明の回路の一例を表した回路図
【符号の説明】
【００４８】
１          ロック施錠、開錠機構
２          ロック部
３ａ        ガラス
３−１      一方の窓枠
３−２      他方の窓枠
４          基台
５          ロック本体
５００      ロック爪
６          ロック片
７          振動センサー
８          カバー
９          窓
９０        框
９０ａ      突条部
９１        躯体
１０        窓開閉機構
１００      第１制御部
１０００    第２制御部
１１        取付具本体
１１ａ      移動孔
１１ｂ      突出部
１１ｃ      挟持片
１２        止め具
１３        回転軸
１５        回転輪
１５ａ      係止部
１６        歯車機構
１７        駆動部
１７ａ      出力軸
１９        スプリング
２０        ケース
２０ａ      鍔片
２０ｂ      中間壁
２０ｃ      底面
２１        歯車ケース
２２        中間軸
２２ａ      止めピン
２３        ブッシュ
２４        調整具
３０        雨水センサー
３１        電池
３２        タイマー
３３        温度センサー
３４        スイッチ
３５        風センサー
Ｈ          隙間
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けられる対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框の上方と窓枠の上方とで形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項２】
建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けられる対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框の上方と窓枠の上方とで形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システム。
【請求項３】
請求項１又は請求項２に記載の窓開閉機構は、屋外に設置した雨センサー、室内の温度センサー、また風センサー、遠隔センサーの各種センサーの制御部で作用する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システム。
【手続補正２】
【補正対象書類名】明細書
【補正対象項目名】全文
【補正方法】変更
【補正の内容】
【発明の詳細な説明】
【技術分野】
【０００１】
本発明は、ロック部の自動施錠及び／又は開錠で窓の施錠と開錠を図り、また雨水センサー、温度センサー、風センサー等のセンサーの作用で該窓の開閉を図る窓の自動開閉システムに関する。
【背景技術】
【０００２】
従来、家屋（建屋）には、必ず窓があり、この窓は、一般の家屋における躯体と略面一に設けられている構成から、洋風の家屋の如く、出窓・天窓等のように特殊な構成のものまで多種多様である（以下、窓とする）。この窓の開閉は、室内の換気・温度調整・風雨の遮断及び排煙等のために日常的に行われている。一方、防犯の面より施錠及び／又は閉塞が必須である。しかし、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。殊に、障害者等の健常者以外では、この種の窓の施錠及び／又は開閉と、ロック等の所作には、この本人においては、手当てが必要であり問題である。以上のような見地から、一定の条件のもとで窓を自動的に開閉及び／又は施錠・開錠する装置が多数の発明が出願されている。
【０００３】
文献１は、特開２００４−２５０９４６「引違い窓開閉装置」であり、閉窓時は、リモートコントローラーの操作により駆動制御機構の電動モーターを駆動して一方向クラッチを介して窓を閉窓方向に変位させる。開窓時は、リモートコントローラーの操作により開窓時にゼンマイばねの弾性力で窓を開窓方向に変位させることで、窓を開閉可能とすることを特徴とした構成である。また一方向クラッチ等の機構を利用して故障や停電時に手動駆動閉鎖可能とした構成である。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモーター等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【０００６】
さらに文献４は、実開平７−２６５６９号「引き戸式自動開閉窓」であり、電源に接続したリモコン回路、タイマー、駆動モーター等の操作機構と、このリモコン回路、操作機構等を内蔵したボックスと、雨滴検知の湿度センサー等のセンサーと、窓外枠、框に固定した窓開閉部とで構成し、この操作機構を遠隔操作及び／又はセンサー、リモコン回路又はタイマーで作動し、この窓を自動開閉可能としたことを特徴とする構成である。
【０００７】
【特許文献１】特開２００４−２５０９４６
【特許文献２】特開２０００−３１００６８
【特許文献３】特開２００４−１３７８５１
【特許文献４】実開平７−２６５６９号
【発明の開示】
【発明が解決しようとする課題】
【０００８】
文献１は、遠隔操作により窓を自動的に開閉できる。しかし、構成の複雑化、大型化を招来すること、また製造が困難であること、さらに窓等への設置に問題を残すこと等の問題点がある。そして、また雨水センサー等のセンサーがなく天候の変化に対応できないこと、鍵の開閉機構を備えず防犯に対する配慮に欠けること等の課題がある。
【０００９】
文献２は、窓の自動開放が可能であるが、これに対する詳細な構成の記載がなく、発明が特定できないこと、また発明の構成要件を十分に備えていないこと等の如く、発明を把握する上で課題を残している。
【００１０】
文献３は、ロック杆をモーターの制御手段で操作する構成である。従って、構造が複雑となること、コストの上昇を招来すること等の問題がある。またこの発明は、引き違い戸の開閉機構に留まっている。従って、雨水センサー等のセンサーがなく天候の変化に対応できないこと、鍵の開閉機構を備えず防犯に対する配慮に欠けること等の課題がある。
【００１１】
また文献４は、各種のセンサー、遠隔操作スイッチを用いて自動的に開閉できる窓等に関する考案に留まっている。従って、窃盗、盗難等の犯罪時に関する手当てがないこと等の問題があり、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付け可能とすること、また部品点数を少なくし製造の容易化を図ること、そして、必要に応じて洋風の家の窓（出窓等）に取付けが可能な構造を提供すること等を意図する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）とすることで、急な天候の変化及び／又は防犯等に対応可能とすること、また犯罪防止の抑止力として活用すること、さらには安心して外出可能とすること等を意図する。そして、「３」  障害者、子供等に優しい、窓の開放及び／又は閉塞手段を提供することを意図する。
【課題を解決するための手段】
【００１３】
請求項１の発明は、前述の「１」〜「３」の目的を達成することを意図する。
【００１４】
請求項１は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けられる対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框の上方と窓枠の上方とで形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１５】
請求項２の発明は、請求項１の目的を達成すること、この目的を達成するのに最適な第２制御部を提供すること等を意図する。またこの請求項２は、窓を手動で開閉可能とすること、窓開閉機構の故障時又は動力が機能しない時等に、手動を介して窓を開閉可能とすること等を意図する。
【００１６】
請求項２は、建物の窓の施錠及び／又は開錠を司るロック施錠、開錠機構は、一方の窓の窓枠に開設された孔に取付けた基台と、この基台に設けたロック本体でなるロック部と、このロック部に係止される他方の窓の窓枠に設けたロック片と、前記ロック本体の可動を司る第１制御部で構成し、この第１制御部の操作で、前記ロック施錠、開錠機構を作動し、前記窓の施錠、開錠を図る窓のロック部の自動施錠及び／又は開錠と、センサーによる窓の開閉を司る窓の自動開閉システムであり、
この窓の開放及び／又は閉塞を図る窓開閉機構は、框の上方に取付けられる対の突出部を備えた取付具本体と、この取付具本体に設けた止め具と、この取付具本体に設けた正逆転可能な駆動部と、この駆動部に設けた伝達機構と、この伝達機構で駆動され、かつ直接窓枠の上方に当接する回転可能な駆動部本体と、前記駆動部を作動する第２制御部で構成し、
この取付具本体の窓側にある一方の突出部を、前記框の上方と窓枠の上方とで形成される隙間に下方より挿入し、またこの取付具本体の部屋側にある他方の突出部と、前記框の上方の突条部との間に隙間を形成し、この隙間に下方よりブッシュを入れ、この他方の突出部より挿入した前記止め具を、前記框の上方に緊締し、該取付具本体をこの框の上方に固止し、
また前記取付具本体に設けた挾持片に調整具を設け、この調整具の螺入螺戻で前記駆動部、伝達機構をカバーするケース及び／又は前記駆動部本体を前進、後退可能とし、
またこの第２制御部の操作で、前記駆動部を作動し、この窓の開閉を図る装置とする構成とした窓のロック部の自動施錠及び／又は開錠と、センサーによる窓の開閉を司る窓の自動開閉システムである。
【００１７】
請求項３の発明は、請求項１、請求項２の目的を達成すること、この目的を達成するのに最適な窓開閉用の自動手段（他の第２制御部）を提供すること等を意図する。
【００１８】
請求項３は、請求項１又は請求項２に記載の窓開閉機構は、屋外に設置した雨センサー、室内の温度センサー、また風センサー、遠隔センサーの各種センサーの制御部で作用する構成であって、この制御部の指令でこの窓開閉機構を構成する駆動部を作動し、前記窓を開閉する構成とした窓のロック部の自動施錠及び／又は開錠と、センサーによる窓の開閉を司る窓の自動開閉システムである。
【００１９】
【００２０】
【００２１】
【００２２】
【００２３】
【００２４】
【発明の効果】
【００２５】
請求項１の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けられる対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
取付具本体の窓側にある一方の突出部を、框の上方と窓枠の上方とで形成される隙間に下方より挿入し、また取付具本体の部屋側にある他方の突出部と、框の上方の突条部との間に隙間を形成し、隙間に下方よりブッシュを入れ、他方の突出部より挿入した止め具を、框の上方に緊締し、該取付具本体をこの框の上方に固止し、
また第２制御部の操作で、駆動部を作動し、窓の開閉を図る装置とする構成とした窓のロック部の自動施錠及び／又は開錠と、センサーによる窓の開閉を司る窓の自動開閉システムである。
【００２６】
従って、請求項１は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞が図れること等の特徴を有する。そして、既設の窓にも簡易かつ確実に取付け可能であること、また部品点数を少なくし製造の容易化が図れること、そして、必要に応じて洋風の家の窓（出窓等）に取付けが可能な構造を提供できること等の実益を有する。また「２」  ロック部の自動開錠及び／又は施錠と、雨水センサー等のセンサーにより外出中、就寝中、子供が留守番する状態、幼児を置いた状態等において、窓が開放されていても自動で閉塞（閉窓）可能（逆の動作も同じ）となることで、急な天候の変化及び／又は防犯等に対応可能となること、また犯罪防止の抑止力として活用できること、さらには安心して外出可能となること等の特徴を有する。そして、「３」  障害者、子供等に優しい、窓の開放及び／又は閉塞手段を提供できること等の利点がある。
【００２７】
請求項２の発明は、建物の窓の施錠及び／又は開錠を司るロック施錠、開錠機構は、一方の窓の窓枠に開設された孔に取付けた基台と、基台に設けたロック本体でなるロック部と、ロック部に係止される他方の窓の窓枠に設けたロック片と、ロック本体の可動を司る第１制御部で構成し、第１制御部の操作で、前記ロック施錠、開錠機構を作動し、窓の施錠、開錠を図る窓のロック部の自動施錠及び／又は開錠と、センサーによる窓の開閉を司る窓の自動開閉システムであり、
窓の開放及び／又は閉塞を図る窓開閉機構は、框の上方に取付けられる対の突出部を備えた取付具本体と、取付具本体に設けた止め具と、取付具本体に設けた正逆転可能な駆動部と、駆動部に設けた伝達機構と、伝達機構で駆動され、かつ直接窓枠の上方に当接する回転可能な駆動部本体と、駆動部を作動する第２制御部で構成し、
取付具本体の窓側にある一方の突出部を、框の上方と窓枠の上方とで形成される隙間に下方より挿入し、また取付具本体の部屋側にある他方の突出部と、框の上方の突条部との間に隙間を形成し、隙間に下方よりブッシュを入れ、他方の突出部より挿入した止め具を、框の上方に緊締し、取付具本体をこの框の上方に固止し、また取付具本体に設けた挾持片に調整具を設け、調整具の螺入螺戻で前記駆動部、伝達機構をカバーするケース及び／又は駆動部本体を前進、後退可能とし、
また第２制御部の操作で、前記駆動部を作動し、窓の開閉を図る装置とする構成とした窓のロック部の自動施錠及び／又は開錠と、センサーによる窓の開閉を司る窓の自動開閉システムである。
【００２８】
従って、請求項２は、前述の「１」〜「３」の目的を達成できる特徴がある。
【００２９】
請求項３の発明は、請求項１又は請求項２に記載の窓開閉機構は、屋外に設置した雨センサー、室内の温度センサー、また風センサー、遠隔センサーの各種センサーの制御部で作用する構成であって、制御部の指令でこの窓開閉機構を構成する駆動部を作動し、窓を開閉する構成とした窓のロック部の自動施錠及び／又は開錠と、センサーによる窓の開閉を司る窓の自動開閉システムである。
【００３０】
従って、請求項３は、請求項１、請求項２の目的を達成できること、この目的を達成するのに最適な窓開閉用の自動手段（他の第２制御部）を提供できること等の特徴を有する。
【００３１】
【００３２】
【００３３】
【００３４】
【００３５】
【００３６】
【発明を実施するための最良の形態】
【００３７】
本発明の各実施例を、図面を参照して説明する。
【００３８】
〔１〕  先ず、共通する本発明の自動ロック施錠・開錠装置のロック施錠、開錠機構１と、ロック部２の関係を説明する。このロック施錠、開錠機構１は、ロック部２の施錠・開錠を司る構造であり、この例では、ロック部２は、他方の窓枠３−２に開設した従来の孔を利用して取付けられた基台４と、この基台４に蟻溝嵌合等のガイド機構を介して昇降自在に設けたロック本体５と、このロック本体５を可動する基台４に内蔵した図示しない駆動部と、一方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、ロック部２の施錠・開錠が図れる。尚、ロック施錠、開錠機構１の第１制御部は、遠隔操作を主体とするが、手動もあり得る。またこのロック施錠、開錠機構１及び／又はガラス３ａ等に振動センサー７（警報センサー）を付設することも可能であり、例えば、この振動センサー７を、前記ロック本体５及び／又は一方の窓枠３−１又は他方の窓枠３−２（窓枠３−１等とする）、ガラス３ａ等の何れかの箇所に単独及び／又は併用して設け、このロック本体５等への振動、破損等の事故、被害が発生した段階で、警報を発し、所定の箇所に異常を通知する等して、防犯用としての利用、また施錠失念用としての利用等が考えられる。またロック施錠、開錠機構１をカバー８で隠蔽し、窓枠３−１等、ガラス３ａ等が破損された異常事態での保護を図る。
【００３９】
そして、このロック施錠、開錠機構１の制御機構は、図３−１から図３−４に示した各例があるので、個別に説明する。先ず、図３−１は簡単な構造を確保し、簡易な操作と、操作の誤りを回避する構造であって、第１制御部１００を開閉釦の二釦構造とする。また図３−２は、多機能な構造の一例であり、ロック施錠、開錠機構１の係脱及び／又は窓開閉機構１０の開閉を全て自動とする構造であって、簡便化、自動化することにより、老人、障害者、認知症患者、或は子供等の如く、弱者や理解の困難な者でも間違いのない操作が可能な構造を意図する。この例では、ロック施錠、開錠機構１の第１制御部１００に、窓開閉機構１０の開閉釦の二釦構造を採用した第２制御部１０００を併用する。そして、各例とも、開閉釦の二釦構造は、開放を示す開の文字・点字、色による識別で例えば青、閉塞を示す文字・点字、色による識別で例えば赤の如く識別する構造、図示の形態の変更する構造等がある。また図３−３は図３−２の例にさらに多機能を付加した構造であり、温湿度の表示、スイッチの入り切りの表示等を付加した構造であり、使用の簡便化、利便性の向上等を意図する。また図３−４は簡単な構造を確保し、簡易な操作と、操作の誤りを回避する構造であって、第２制御部１０００を開閉釦の二釦構造とする。
【００４０】
〔２〕  本発明の窓９の開閉及び駆動部の制御を司る窓開閉機構１０（自動窓開閉装置）と、この窓開閉機構１０を動作する第２制御部１０００（雨水センサー、温度センサー、風センサー等のセンサー。以下、雨水センサー３０とする）の関係を各実施例について説明する。
【００４１】
〔２−１〕  図４−１、図４−２は請求項１に記載の第一の実施例であり、歯車機構１６、回転輪１５、回転軸１３を使用した窓開閉機構１０である。この窓開閉機構１０は、窓９の上方を支持する框９０（建物、固定手段等の固定物、以下、省略する）の上方の突条部９０ａに（直接）設けた取付具本体１１の窓側の一方の突出部１１ｂと、この取付具本体１１の窓側の一方の突出部１１ｂに設けた止め具１２と、前記取付具本体１１に吊下した回転軸１３と、この回転軸１３に設けた歯車機構１６（傘歯車、ウォーム、平歯車等による伝達機構）及び／又は後述するケースの開口より突出する回転輪１５（駆動部本体）と、この歯車機構１６を駆動するモーター等の駆動部１７で構成されており、その動力の伝達は、スイッチＯＮで（雨水センサー３０の検知）→駆動部１７（正転）→歯車機構１６→回転輪１５である。そして、回転輪１５には、窓枠３−１等に圧接するゴム、樹脂等の粘着体、又は植毛等の粘性体でなる係止部１５ａが設けられており、この係止部１５ａとの圧接と、この係止部１５ａの回転を利用して窓９が開閉する。そこで、例えば、窓９の開放は、雨水センサー３０の検知→駆動部１７（正転）→歯車機構１６→回転輪１５及び／又は係止部１５ａ→窓９（可動と開放）という工程である。また窓９の閉塞は前述の逆の可動及び／又は操作となる。尚、前記取付具本体１１を、框９０の上方に固止するには、この取付具本体１１の窓側の一方の突出部１１ｂを、框９０の上方の突条部９０ａに設けるとともに、この窓側の一方の突出部１１ｂに設けた止め具１２を介して框９０の上方の突条部９０ａに取付ける構成である。
【００４２】
そして、前述の如く、雨水センサー３０に代わり、遠隔操作、その他のセンサー、又は携帯電話等による操作も可能である。尚、係止部１５ａ及び／又は窓枠３−１等に凹凸、スリット等の滑り止め手段を設けることもあり得る。この各凹凸、スリット等の滑り止め手段の構成を採用することで、確実な窓９の可動が図れる特徴がある。そして、この窓９の移動で該窓９の開閉が行われる。またこの回転輪１５の正逆回転は、駆動部１７の正逆回転と、歯車機構１６（傘歯車、ウォーム、平歯車等による伝達機構）の伝達を介して行う構成が望ましい。駆動部１７の出力軸（図示せず）を伝達機構とする構成、又は媒体（図示せず）を介して回転軸１３に連絡する構成の伝達機構もあり得る。また図４−２の例の如く、取付具本体１１に移動孔１１ａを開設し、この移動孔１１ａを利用して回転軸１３が移動及び／又は停止されることで、前記係止部１５ａと窓枠３−１等との圧接をなくし、手動による窓９の開閉を図る構成とすることも可能であり、前述の如く、種々の特徴が図れる。図中１９は回転軸１３の復帰を図るスプリングを示す。
【００４３】
〔２−２〕  図５−１〜図５−３は請求項２に記載の第二の実施例であり、原則として、前述の第一の実施例に準ずる。従って、その相違点に関して説明すると、この例は、取付具本体１１を、躯体９１に設けた框９０の上方の突条部９０ａに止め具１２等を介して着脱自在に設ける構成であり、具体的には、この取付具本体１１の窓側の一方の突出部１１ｂを、框９０の上方の突条部９０ａと窓枠３−１の上方で形成される上方の隙間Ｈへの挿入と、この取付具本体１１の部屋側の一方の突出部１１ｂに設けた止め具１２とを利用し、該取付具本体１１を固止する構成である。この一例では、取付具本体１１の窓側の一方の突出部１１ｂを上方の隙間Ｈに下方より挿入し、その後、突条部９０ａと部屋側の他方の突出部１１ｂとの間に設けたブッシュ２３と、この他方の突出部１１ｂに設けた止め具１２を介して框９０の上方の突条部９０ａに、該取付具本体１１を固止する。そして、この取付具本体１１には回転軸１３を介して回転輪１５が回転自在に架承されている。尚、窓９の開閉、動力の伝達等は、前述と同様であり省略する。
【００４４】
〔２−３〕  図７−１、図７−２は請求項６に記載の第三の実施例であり、取付具本体１１の両端に挾持片１１ｃを設け、この挾持片１１ｃにケース２０（カバー）の鍔片２０ａを挿入し、このケース２０の底面２０ｃに設けた歯車ケース２１より駆動部１７の出力軸１７ａに歯車機構１６を介して設けた中間軸２２を突設し、この中間軸２２の嵌入及び／又は止めピン２２ａを介して回転軸１３を連繋し、この回転軸１３に回転輪１５を固止する。またこの回転輪１５はケース２０の開口より突出する。そして、この例では、取付具本体１１に設けた調整具２４を介してケース２０及び／又はその回転輪１５を前後動させる（図７−１において向かって左右方向、即ち、矢印「イ」）。この調整具２４の螺入で、ケース２０及び／又はその回転輪１５が前進し、回転輪１５が窓枠３−１の上方に当接し、この当接時において、駆動部１７の回転で該窓９が可動する。また調整具２４の螺戻で、ケース２０及び／又はその回転輪１５が後退し、回転輪１５が窓枠３−１の上方より離間し、この離間において、窓枠３−１等の自由な可動が図れる。その他は前述の各実施例に準ずる。
【００４５】
そして、本発明の特徴とする処は、自動開閉システムを既設の窓枠３−１、ガラス３ａ、框９０の上方にそれぞれ設置できるので、この窓枠３−１、ガラス３ａ、框９０の上方や建物等の有効利用と、コストの削減化、廃棄に伴う弊害の解除と、環境保護に役立つ等の有益性を有する。尚、新設の窓枠３−１、ガラス３ａ、框９０の上方や建物等にも利用できることは勿論である。さらに新設の窓枠３−１、ガラス３ａ、框９０の上方や建物等において、最初より一体構造として利用できる構成となっている。
【００４６】
尚、本発明の使用の一例を図８に基づいて説明すると、図８は本発明の回路模式図であり、３１は電池、３２はタイマー、温度センサー３３又は雨水センサー３０、振動センサー７等を示している。従って、例えば、設定時間になりタイマー３２が作動した場合、また温度センサー３３が一定の温度になった場合、雨水センサー３０で雨水を感知した場合、又は遠隔操作等によって通電するスイッチ３４が設けられている。またセンサー等は雨水センサー３０、振動センサー７、風センサー３５、また人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。尚、前記風センサー３５の例では、強風時の窓９の開閉を確実に行い、弊害を解消することを意図する。
【図面の簡単な説明】
【００４７】
【図１】本発明のロック施錠、開錠機構の正面図
【図２−１】本発明のロック施錠、開錠機構の断面図
【図２−２】図２−１にカバーを取付けた断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明のロック施錠、開錠機構の第１制御部と窓開閉機構の第２制御部とを併用した他の例の正面図
【図３−４】本発明の窓開閉機構の第２制御部の正面図
【図４−１】本発明の第一の実施例を表した要部の側面模式図
【図４−２】図４−１の平面図
【図５−１】本発明の第二の実施例を表した要部の側面模式図
【図５−２】図５−１のＡ−Ａ断面図
【図６】本発明の第一の実施例の取付具本体と回転軸及び／又は移動孔との関係を表した要部の平面模式図
【図７−１】本発明の第三の実施例を表した要部の側面模式図
【図７−２】図７−１の側面図
【図８】本発明の回路の一例を表した回路図
【符号の説明】
【００４８】
１          ロック施錠、開錠機構
２          ロック部
３ａ        ガラス
３−１      一方の窓枠
３−２      他方の窓枠
４          基台
５          ロック本体
５００      ロック爪
６          ロック片
７          振動センサー
８          カバー
９          窓
９０        框
９０ａ      突条部
９１        躯体
１０        窓開閉機構
１００      第１制御部
１０００    第２制御部
１１        取付具本体
１１ａ      移動孔
１１ｂ      突出部
１１ｃ      挟持片
１２        止め具
１３        回転軸
１５        回転輪
１５ａ      係止部
１６        歯車機構
１７        駆動部
１７ａ      出力軸
１９        スプリング
２０        ケース
２０ａ      鍔片
２０ｂ      中間壁
２０ｃ      底面
２１        歯車ケース
２２        中間軸
２２ａ      止めピン
２３        ブッシュ
２４        調整具
３０        雨水センサー
３１        電池
３２        タイマー
３３        温度センサー
３４        スイッチ
３５        風センサー
Ｈ          隙間